(57)【要約】【課題】特に、電源投入時において、電源回路の動作を安定させる。【解決手段】電源回路２００は、ダイオードブリッジ２０と、リップル部３０と、第１のダイオード４０と、第２のダイオード４２と、第１のコンデンサ４４と、第１の抵抗器４６と、を備える。第１の抵抗器４６は、第２のダイオード４２が有するカソード端子４２ｂと第１のコンデンサ４４が有する正極側端子４４ａとの接点にその一端４６ａが接続される。第１の抵抗器４６は、その他端４６ｂがダイオードブリッジ２０が有する一対の出力端子２４のうち正極側端子２４ａと接続される。【選択図】図２
2019054608.tif 000002
【特許請求の範囲】
【請求項１】
供給されたＡＣ電力が入力される、一対の入力端子と、
入力された前記ＡＣ電力をＤＣ電力に全波整流して出力する、一対の出力端子と、
を有するダイオードブリッジ（ＤＢ）と、
前記ダイオードブリッジが有する前記一対の出力端子間において、
前記一対の出力端子のうち正極側端子とその一端が接続される、リップル部（ＲＩＰ）と、
前記一対の出力端子のうち負極側端子とそのアノード端子が接続されるとともに、そのカソード端子が前記リップル部が有する他端と接続される、第１のダイオード（Ｄ１）と、
が取付けられ、
前記リップル部が有する他端と前記第１のダイオードが有する前記カソード端子との接点にそのアノード端子が接続される第２のダイオード（Ｄ２）と、
前記第２のダイオードが有するカソード端子とその正極側端子が接続されるとともに、その負極側端子が前記第１のダイオードが有する前記アノード端子と接続される第１のコンデンサ（Ｃ１）と、
前記第２のダイオードが有する前記カソード端子と前記第１のコンデンサが有する前記正極側端子との接点にその一端が接続されるとともに、その他端が前記ダイオードブリッジが有する前記一対の出力端子のうち前記正極側端子と接続される、第１の抵抗器（Ｒ１）と、を備え、
前記一対の出力端子のうち前記正極側端子をＤＣ電圧出力端子（ＶＭ）、前記第１のコンデンサが有する前記正極側端子を制御電圧出力端子（Ｖｃｃ）、前記第１のコンデンサが有する前記負極側端子をグランド端子（ＧＮＤ）、とする電源回路。
【請求項２】
前記リップル部は、直列に接続された、第２のコンデンサと第２の抵抗器とを有し、
前記第２のコンデンサが前記リップル部の一端側に位置し、
前記第２の抵抗器が前記リップル部の他端側に位置する、
請求項１に記載の電源回路。
【請求項３】
前記リップル部は、直列に接続された、第２のコンデンサと第２の抵抗器とを有し、
前記第２の抵抗器が前記リップル部の一端側に位置し、
前記第２のコンデンサが前記リップル部の他端側に位置する、
請求項１に記載の電源回路。
【請求項４】
供給されたＡＣ電力を受けてモータを駆動するモータ駆動装置であって、
請求項１から３のいずれか一項に記載の電源回路と、
前記電源回路で変換された制御電圧を得て、前記モータを駆動するモータ制御部と、
を備える、モータ駆動装置。
【発明の詳細な説明】
【技術分野】
【０００１】
本発明は、冷蔵庫などに搭載されるファンモータに用いられる電源回路と、この電源回路を備えるモータ駆動装置に関する。
【背景技術】
【０００２】
従来、冷蔵庫などに搭載されるファンモータは、商用電源などから供給される高電圧のＡＣ電力を低電圧のＤＣ電力に変換して利用している。
【０００３】
高電圧のＡＣ電力を低電圧のＤＣ電力に変換する電源回路には、つぎのものがある。すなわち、図１１に示すように、従来の電源回路３００は、商用電源などから供給されたＡＣ電力をＤＣ電力に全波整流する、ダイオードブリッジ（ＤＢ）２０を有する。ダイオードブリッジ２０の出力端子２４間には、コンデンサ（Ｃ２ａ）３３２と、第１のダイオード（Ｄ１ａ）３４０と、が電気的に接続される。具体的には、ダイオードブリッジ２０の正極側端子２４ａは、コンデンサ３３２の正極側端子３３２ａと接続される。コンデンサ３３２の負極側端子３３２ｂは、第１のダイオード３４０のカソード端子３４０ｂと接続される。第１のダイオード３４０のアノード端子３４０ａは、ダイオードブリッジ２０の負極側端子２４ｂと接続される。第１のダイオード３４０には、第１のダイオード３４０と並列にコンデンサ（Ｃ１ａ）３４４が接続される。コンデンサ３４４の正極側端子３４４ａは、第１のダイオード３４０のカソード端子３４０ｂと第２のダイオード（Ｄ２ａ）３４２を介して接続される。コンデンサ３４４の負極側端子３４４ｂは、第１のダイオード３４０のアノード端子３４０ａと接続される。
【０００４】
ダイオードブリッジ２０から出力されるＤＣ電圧は、一定電圧の低電圧部分と、商用電源などが有する周波数に起因して変動するリップル電圧部分と、を含む。第１のダイオード３４０は、一定電圧の低電圧部分を生成する。第１のダイオード３４０は、ツェナーダイオードで実現できる。リップル電圧部分は、コンデンサ３３２で充電および放電がなされる。コンデンサ３３２は、フィルムコンデンサで実現できる。コンデンサ３３２を充電する際に生じる電流は、第２のダイオード３４２を介して、コンデンサ３４４に流れ込む。
【０００５】
なお、以下の説明において、ＤＣ電圧は、ＶＭ電圧ともいうこともある。同様に、コンデンサ（Ｃ１ａ）が提供する一定電圧の低電圧は、制御電圧あるいはＶｃｃ電圧ということもある。コンデンサ（Ｃ１ａ）には、ファンモータを制御するための制御回路が接続されている。コンデンサは、制御回路の制御電源として機能する（例えば、特許文献１参照）。
【先行技術文献】
【特許文献】
【０００６】
【特許文献１】欧州特許出願公開第０８５５７９０号明細書
【発明の概要】
【発明が解決しようとする課題】
【０００７】
しかしながら、従来の電源回路には、つぎの解決すべき課題があった。すなわち、従来の電源回路において、電源を起動する際、制御電源には、負荷である制御回路に多くの電流を供給すべき状態が生じていない。よって、コンデンサ（Ｃ２ａ）には、小さいリップル電圧しか生じない。したがって、コンデンサ（Ｃ２ａ）に生じる充電電流および放電電流も小さいため、コンデンサ（Ｃ２ａ）からコンデンサ（Ｃ１ａ）へ流れ込む電流も少なくなる。この結果、従来の電源回路は、制御電源となるコンデンサ（Ｃ１ａ）に対して、十分な電力を供給できないことがあった。
【０００８】
本発明は、上述した課題を解決するものであり、ＤＣ電圧と制御電圧との間に抵抗器を取り付けることで、制御電源となる第１のコンデンサに対して、安定した電流の供給を図り、電源回路の動作が安定する。
【課題を解決するための手段】
【０００９】
上記目的を達成するため、本発明の電源回路は、ダイオードブリッジと、リップル部と、第１のダイオードと、第２のダイオードと、第１のコンデンサと、第１の抵抗器と、を備える。
【００１０】
ダイオードブリッジは、一対の入力端子と、一対の出力端子と、を有する。一対の入力端子には、供給されたＡＣ電力が入力する。入力されたＡＣ電力は、ダイオードブリッジ２０で全波整流されてＤＣ電力となる。一対の出力端子は、全波整流されたＤＣ電力を出力する。
【００１１】
ダイオードブリッジが有する一対の出力端子間において、リップル部と、第１のダイオードと、が取付けられる。リップル部は、一対の出力端子のうち正極側端子とその一端が接続される。第１のダイオードは、一対の出力端子のうち負極側端子とそのアノード端子が接続される。第１のダイオードは、そのカソード端子がリップル部が有する他端と接続される。
【００１２】
第２のダイオードは、リップル部が有する他端と第１のダイオードが有するカソード端子との接点にそのアノード端子が接続される。
【００１３】
第１のコンデンサは、第２のダイオードが有するカソード端子とその正極側端子が接続される。第１のコンデンサは、その負極側端子が第１のダイオードが有するアノード端子と接続される。
【００１４】
第１の抵抗器は、第２のダイオードが有するカソード端子と第１のコンデンサが有する正極側端子との接点にその一端が接続される。第１の抵抗器は、その他端がダイオードブリッジが有する一対の出力端子のうち正極側端子と接続される。
【００１５】
さらに、電源回路は、ダイオードブリッジが有する一対の出力端子のうち正極側端子をＤＣ電圧出力端子、第１のコンデンサが有する正極側端子を制御電圧出力端子、第１のコンデンサが有する負極側端子をグランド端子、とする。
【００１６】
また、本発明のモータ駆動装置は、供給されたＡＣ電力を受けてモータを駆動する。モータ駆動装置は、上述した電源回路と、モータ制御部と、を備える。
【００１７】
モータ制御部は、電源回路で変換された制御電圧を得て、モータを駆動する。
【発明の効果】
【００１８】
本発明の電源回路は、ＤＣ電源と制御電源との間に適切な負荷を形成することにより、ＤＣ電源から制御電源に対して、安定した電力の供給を図る。よって、本発明の電源回路は、さまざまな負荷変動、特に、制御電源の負荷が軽い電源の起動時においても、電源回路の動作が安定性を増す。
【図面の簡単な説明】
【００１９】
【図１】本発明の実施の形態１における電源回路が用いられるモータ駆動装置の概要を示す概念図
【図２】本発明の実施の形態１における電源回路を示す回路図
【図３】本発明の実施の形態１における他の電源回路を示す回路図
【図４】本発明の実施例１における電源回路の動作を説明するタイミングチャート
【図５】図４に示す期間：Ｔ０〜Ｔ１における電源回路の充電動作を示す説明図
【図６】図４に示す期間：Ｔ１〜Ｔ２における電源回路の放電動作を示す説明図
【図７】本発明の実施例２における電源回路の動作を説明するタイミングチャート
【図８】図７に示す期間：Ｔ３〜Ｔ５における電源回路の充電動作等を示す説明図
【図９】比較例である電源回路の動作を説明するタイミングチャート
【図１０】図９に示す期間：Ｔ６〜Ｔ７における電源回路の充電動作を示す説明図
【図１１】従来の電源回路を示す回路図
【発明を実施するための形態】
【００２０】
以下、本発明の実施の形態について、図面を参照しながら説明する。なお、以下の実施の形態は、本発明を具現化した一例であって、本発明の技術的範囲を制限するものではない。
【００２１】
（実施の形態１）
本発明の実施の形態１における電源回路について、図１から図３を用いて説明する。
【００２２】
図１は、本発明の実施の形態１における電源回路が用いられるモータ駆動装置の概要を示す概念図である。図２および図３は、それぞれ本発明の実施の形態１における電源回路を示す回路図である。
【００２３】
図１に示すように、本発明の実施の形態が用いられるモータ駆動装置１００は、ＡＣ電源１０２から供給されたＡＣ電力を受けてモータ１０４を駆動する。モータ駆動装置１００は、電源回路２００と、モータ制御部２０２と、を備える。
【００２４】
モータ制御部２０２は、電源回路２００で変換された制御電圧を得て、モータ１０４を駆動する。
【００２５】
つぎに、図２に示すように、本発明の実施の形態１における電源回路２００は、ダイオードブリッジ（ＤＢ）２０と、リップル部（ＲＩＰ）３０と、第１のダイオード（Ｄ１）４０と、第２のダイオード（Ｄ２）４２と、第１のコンデンサ（Ｃ１）４４と、第１の抵抗器（Ｒ１）４６と、を備える。
【００２６】
ダイオードブリッジ２０は、一対の入力端子２２と、一対の出力端子２４と、を有する。一対の入力端子２２には、供給されたＡＣ電力が入力する。入力されたＡＣ電力は、ダイオードブリッジ２０で全波整流されてＤＣ電力となる。一対の出力端子２４は、全波整流されたＤＣ電力を出力する。
【００２７】
ダイオードブリッジ２０が有する一対の出力端子２４間において、リップル部３０と、第１のダイオード４０と、が取付けられる。リップル部３０は、一対の出力端子２４のうち正極側端子２４ａとその一端３０ａが接続される。第１のダイオード４０は、一対の出力端子２４のうち負極側端子２４ｂとそのアノード端子４０ａが接続される。第１のダイオード４０は、そのカソード端子４０ｂがリップル部３０が有する他端３０ｂと接続される。
【００２８】
第２のダイオード４２は、リップル部３０が有する他端３０ｂと第１のダイオード４０が有するカソード端子４０ｂとの接点にそのアノード端子４２ａが接続される。
【００２９】
第１のコンデンサ４４は、第２のダイオード４２が有するカソード端子４２ｂとその正極側端子４４ａが接続される。第１のコンデンサ４４は、その負極側端子４４ｂが第１のダイオード４０が有するアノード端子４０ａと接続される。
【００３０】
第１の抵抗器４６は、第２のダイオード４２が有するカソード端子４２ｂと第１のコンデンサ４４が有する正極側端子４４ａとの接点にその一端４６ａが接続される。第１の抵抗器４６は、その他端４６ｂがダイオードブリッジ２０が有する一対の出力端子２４のうち正極側端子２４ａと接続される。
【００３１】
さらに、電源回路２００は、ダイオードブリッジ２０が有する一対の出力端子２４のうち正極側端子２４ａをＤＣ電圧出力端子（ＶＭ）５０、第１のコンデンサ４４が有する正極側端子４４ａを制御電圧出力端子（Ｖｃｃ）５２、第１のコンデンサ４４が有する負極側端子４４ｂをグランド端子（ＧＮＤ）５４、とする。
【００３２】
特に、顕著な作用効果を奏する構成は、以下のとおりである。
【００３３】
すなわち、リップル部３０は、直列に接続された、第２のコンデンサ３２と第２の抵抗器３４と、を有する。
【００３４】
図２に示すように、第２のコンデンサ（Ｃ２）３２は、リップル部３０の一端３０ａ側に位置する。第２の抵抗器（Ｒ２）３４は、リップル部３０の他端３０ｂ側に位置する。
【００３５】
あるいは、図３に示すように、第２の抵抗器３４は、リップル部３０ｃの一端３０ａ側に位置する。第２のコンデンサ３２は、リップル部３０ｃの他端３０ｂ側に位置する。なお、第２の抵抗器（Ｒ２）３４は、０Ω（短絡）とすることも可能である。
【００３６】
さらに、図面を用いて詳細に説明する。
【００３７】
図１、図２に示すように、本実施の形態１における電源回路２００には、商用電源などのＡＣ電源よりＡＣ電力が供給される。電源回路２００に供給されたＡＣ電力は、後述する過程を経て、２系統のＤＣ電力を生成する。
【００３８】
すなわち、一方のＤＣ電力は、一定電圧であるＶｃｃ電圧を提供する制御電源として機能する。Ｖｃｃ電圧は、制御電圧出力端子５２を介してモータ制御部２０２に印加される。
【００３９】
他方のＤＣ電力は、交流−直流変換に伴うリップル電圧を含むＶＭ電圧を提供する。ＶＭ電圧は、ＤＣ電圧出力端子５０を介してモータ１０４に印加される。このモータ１０４には、ファンが取付けられる。ファンが取付けられたモータ１０４は、冷蔵庫などに搭載されるファンモータとして利用できる。
【００４０】
これらのＤＣ電圧は、いずれもグランド端子５４を共通の負極側端子としている。
【００４１】
本構成において、本実施の形態１における電源回路２００は、ＤＣ電圧出力端子５０−グランド端子５４間、および、制御電圧出力端子５２−グランド端子５４間の動作状況に拘らず、ＤＣ電圧出力端子５０と制御電圧出力端子５２との間に第１の抵抗器４６が存在する。よって、電源回路２００を起動する際、電源回路２００には安定した負荷が生じる。したがって、電源回路２００は、この安定した負荷に応えるよう、第１のコンデンサ４４を充電するための電流を供給する。
【００４２】
この結果、本実施の形態１における電源回路２００は、負荷回路の状況に囚われることなく、起動時、定常時とも動作が安定する。
【００４３】
ところで、リップル部３０を構成する第２の抵抗器３４は、第２のコンデンサ３２に流れる電流を制御できれば、第２の抵抗器３４に対して、下流側（図２）に位置してもよく、上流側（図３）に位置してもよい。第２のコンデンサ３２は、フィルムコンデンサ又は電解コンデンサで実現できる。
【００４４】
また、第２のコンデンサ３２と並列に接続された抵抗器６０、６１は、第２のコンデンサ３２に蓄電された電荷を放電する。
【００４５】
また、第１のダイオード４０は、ツェナーダイオードで実現できる。
【００４６】
なお、図中に示すいずれの電子部品も、必要とされる機能を発揮できれば、１つの部品で構成しても、複数の部品で構成してもよい。
【００４７】
（実施例１）
本発明の具体例である実施例１について、図４から図６を用いて、説明する。
【００４８】
図４は、本発明の実施例１における電源回路の動作を説明するタイミングチャートである。図５は、図４に示す期間：Ｔ０〜Ｔ１における電源回路の充電動作を示す説明図である。図６は、図４に示す期間：Ｔ１〜Ｔ２における電源回路の放電動作を示す説明図である。
【００４９】
実施例１では、ＡＣ電源１０２からＡＣ電力が供給された直後の動作について、電源回路２００で生じる具体的な動作を説明する。
【００５０】
１）充電期間：Ｔ０〜Ｔ１について
図４、図５に示すように、Ｔ０のとき、本実施例１における電源回路２００には、ＡＣ電源１０２が供給される。ＡＣ電源１０２からダイオードブリッジ２０にＡＣ電力が供給された結果、ダイオードブリッジ２０が有する正極側端子２４ａから電流Ｉ１が流れる。
【００５１】
やがて、電流Ｉ１は、第２のコンデンサ３２に向かう電流Ｉ２ａと、第１の抵抗器４６に向かう電流Ｉ２ｂと、に分かれる。電流Ｉ２ａは、第２のコンデンサ３２を充電した後、第２の抵抗器３４、第２のダイオード４２を通って、第１のコンデンサ４４に向かって流れる。図４において、電流Ｉ２ａは、０Ａから上方に向かう正の領域の電流として記す。
【００５２】
一方、電流Ｉ２ｂは、第１の抵抗器４６を通って、第１のコンデンサ４４に向かって流れる。電流Ｉ２ａと電流Ｉ２ｂとは、電流Ｉ３として合流した後、第１のコンデンサ４４が有する正極側端子４４ａに向かって流れる。
【００５３】
電流Ｉ３は、第１のコンデンサ４４を充電した後、ダイオードブリッジ２０が有する負極側端子２４ｂに向かって流れる。電流Ｉ３は、ダイオードブリッジ２０を通って、ＡＣ電源１０２に流れる。
【００５４】
以上の期間、ＤＣ電圧出力端子５０とグランド端子５４との間に生じるＤＣ電圧（ＶＭ）と、制御電圧出力端子５２とグランド端子５４との間に生じる制御電圧（Ｖｃｃ）とは、第１のコンデンサ４４と第２のコンデンサ３２とに流れ込む電流の値に応じて、上昇する。
【００５５】
２）放電期間：Ｔ１〜Ｔ２について
図４、図６に示すように、Ｔ１のときから、本実施例１における電源回路２００は、ＡＣ電源１０２から供給されるＡＣ電力が減少に転じる。この結果、以下に説明するように、第１のコンデンサ４４と第２のコンデンサ３２とに蓄えられた電荷が、電流Ｉ５ａ、Ｉ５ｂとして放出される。
【００５６】
すなわち、第２のコンデンサ３２に充電された電荷は、第２のコンデンサ３２が有する正極側端子からＤＣ電圧出力端子５０に向かって流れ出る（Ｉ５ａ）。第２のコンデンサ３２から流れ出る電荷は、電流Ｉ５ａを形成する。
【００５７】
なお、図６に示す、第２のコンデンサ３２から流れ出る電流Ｉ５ａは、図４において、０Ａから下方に向かう負の領域の電流として記す。
【００５８】
一方、第１のコンデンサ４４に充電された電荷は、第１のコンデンサ４４が有する正極側端子４４ａから制御電圧出力端子５２に向かって流れ出る。第１のコンデンサ４４から流れ出る電荷は、電流Ｉ５ｂを形成する。
【００５９】
以上の期間、ＤＣ電圧出力端子５０とグランド端子５４との間に生じるＤＣ電圧と、制御電圧出力端子５２とグランド端子５４との間に生じる制御電圧とは、第１のコンデンサ４４と第２のコンデンサ３２とから流れ出る電流の値に応じて、下降する。
【００６０】
本実施例１における電源回路２００は、上記１）２）にて説明した動作を繰り返しながら、充電する期間に蓄積される電荷と、放電する期間に放出される電荷との差分を蓄積する。よって、該電源回路２００は、ＤＣ電圧の値と制御電圧の値とが、実質的に一定の値に安定する。
【００６１】
（実施例２）
本発明の他の具体例である実施例２について、図７、図８を用いて、説明する。
【００６２】
図７は、本発明の実施例２における電源回路の動作を説明するタイミングチャートである。図８は、図７に示す期間：Ｔ３〜Ｔ５における電源回路の充電動作等を示す説明図である。
【００６３】
実施例２では、ＡＣ電源１０２の出力電圧を０Ｖから定格電圧まで、所定時間を要して上昇させた場合の動作について、電源回路２００で生じる具体的な動作を説明する。
【００６４】
なお、本評価は、ＡＣ電源１０２の動作が不安定な地域において、該電源回路２００が使用されることを想定して行うものである。その一条件には、ＡＣ電源１０２の出力電圧を０Ｖから１２０Ｖまで、１ｓｅｃ程度かけて上昇させる、というものがある。他の一条件には、ＡＣ電源１０２の出力電圧を０Ｖから２３０Ｖまで、１ｓｅｃ程度かけて上昇させる、というものがある。
【００６５】
本評価の意図するところは、つぎのとおりである。すなわち、１）．時間をかけてＡＣ電源１０２の出力電圧を上昇させることにより、第２のコンデンサ３２に流れ込む電流（Ｉ２ａ１）を無視できる程度に抑制できる。２）．その結果、ＡＣ電源１０２の出力電圧を徐々に変化させた場合において、第１のコンデンサ４４に流れ込む電流Ｉ６と、ＤＣ電圧の値および制御電圧の値の変化について、検証ができる。
【００６６】
１）予備期間：Ｔ３〜Ｔ４について
図７に示すように、Ｔ３において、ＡＣ電源１０２の出力電圧は０Ｖである。その後、Ｔ３からＴ４までの時間をかけながら、ＡＣ電源１０２の出力電圧は、０Ｖから所定の定格電圧まで上昇する。
【００６７】
この間、図８に示すように、ＡＣ電源１０２からダイオードブリッジ２０に対してＡＣ電力が供給される。ダイオードブリッジ２０に供給されたＡＣ電力は、ダイオードブリッジ２０が有する正極側端子２４ａを通って、電流Ｉ６として流れる。上述したように、ＡＣ電源１０２の出力電圧が徐々に上昇するため、電源回路２００内を流れる電流は、主として電流Ｉ６となる。言い換えれば、第２のコンデンサ（Ｃ２）３２に流れ込む電流Ｉ２ａ１は、電流Ｉ６と比べた場合、無視できる程度に微量である。図７中、期間Ｔ３〜Ｔ４において、電流Ｉ２ａ１もほぼ０Ａと示されている。また、第２のコンデンサ（Ｃ２）３２に充電される電荷が皆無に等しいため、第２のコンデンサ３２から放電される電流Ｉ５ａ１も電流ほぼ０Ａとなる。Ｉ６は、さらに第１の抵抗器４６を通って第１のコンデンサ４４に流れ込む。第１のコンデンサ４４は、流れ込む電流Ｉ６の値に応じて、制御電圧（Ｖｃｃ）の値が上昇する。また、ＤＣ電圧（ＶＭ）の値は、上昇するＡＣ電源１０２の出力電圧に応じて、上昇する。
【００６８】
２）充電期間：Ｔ４〜Ｔ５について
図７、８に示すように、Ｔ４において、制御電圧（Ｖｃｃ）は、制御回路を動作させるために必要な電圧に達する。よって、制御電圧を電源とする制御回路は、各部の制御を始める。
【００６９】
制御回路は、ＤＣ電圧（ＶＭ）を電源とする負荷も制御する。よって、ＤＣ電源は、負荷の変動により、電圧が変化する。
【００７０】
Ｔ５以降については、図４から図６を用いて説明した実施例１と、同様の動作となる。つまり、第２のコンデンサ３２を充電する電流Ｉ２ａ１と、第２のコンデンサ３２から放電される電流Ｉ５ａ１とが流れる。
【００７１】
（比較例）
本発明と比較する比較例について、図９、図１０を用いて、説明する。
【００７２】
図９は、比較例である電源回路の動作を説明するタイミングチャートである。図１０は、図９に示す期間：Ｔ６〜Ｔ７における電源回路の充電動作を示す説明図である。
【００７３】
比較例では、上述した実施例２と同様、ＡＣ電源１０２の出力電圧を０Ｖから定格電圧まで、所定時間を要して上昇させた場合の動作について、電源回路３００で生じる具体的な動作を説明する。
【００７４】
なお、その他、本評価の趣旨等は、実施例２にて説明した事項を援用する。
【００７５】
１）予備期間：Ｔ６〜Ｔ７について
図９に示すように、Ｔ６において、ＡＣ電源１０２の出力電圧は０Ｖである。その後、Ｔ６からＴ７までの時間をかけながら、ＡＣ電源１０２の出力電圧は、０Ｖから所定の定格電圧まで上昇する。
【００７６】
この間、図１０に示すように、ＡＣ電源１０２からダイオードブリッジ２０に対してＡＣ電力が供給される。ダイオードブリッジ２０に供給されたＡＣ電力は、ダイオードブリッジ２０が有する正極側端子２４ａを通って、電流Ｉ７として流れる。
【００７７】
上述したように、ＡＣ電源１０２の出力電圧が徐々に上昇するため、コンデンサ３３２には、極めて微量の電流が流れ込む。また、抵抗器６０、６１は、コンデンサ３３２に充電された電荷を早期に放電するために取り付けられた抵抗器である。一般的に、抵抗器６０、６１には、数十ｋΩ〜数百ｋΩの抵抗値を有する高抵抗器が使用される。よって、ダイオードブリッジ２０が有する正極側端子２４ａからコンデンサ３４４が有する正極側端子３４４ａに至る経路には、コンデンサ３３２を充電する経路か、高い抵抗値である抵抗器６０、６１が取り付けられた経路しかない。したがって、いずれの経路も十分な電流が流れないため、コンデンサ３４４は、電荷が充電できない。言い換えれば、コンデンサ３３２を充電する電流Ｉ２ａ２は、ほぼ０Ａである。また、コンデンサ３３２が充電されないため、コンデンサ３３２から放電される電流Ｉ５ａ２も０Ａである。よって、制御電圧（Ｖｃｃ）は、上昇しない。
【００７８】
なお、ダイオードブリッジ２０が有する、正極側端子２４ａと負極側端子２４ｂとの間には、負荷が接続されている。この負荷には、グランド端子（ＧＮＤ）５４とＤＣ電圧出力端子（ＶＭ）５０との間に生じる電圧が印加される。
【００７９】
やがて、Ｔ７に至ったとき、ＡＣ電源１０２の出力電圧は、定格電圧に達する。また、ＤＣ電圧（ＶＭ）は、ＡＣ電源１０２の出力電圧に応じた電圧が印加される。
【００８０】
しかしながら、制御電圧（Ｖｃｃ）は、制御回路を動作させるために必要な電圧に達していない。よって、制御電圧を電源とする制御回路は、各部の制御を行うことができない。
【００８１】
以上の説明から明らかなように、本発明の実施の形態における電源回路は、ＤＣ電源と制御電源との間に適切な負荷を形成することにより、ＡＣ電源が不安定な状態であっても、ＤＣ電源から制御電源に対して、安定した電力の供給を図る。よって、本電源回路は、ＡＣ電源の状態によらず、適性に動作する。特に、ＤＣ電源と制御電源との間に形成する負荷は、抵抗器で実現できる。
【産業上の利用可能性】
【００８２】
本発明の電源回路は、ＡＣ電力をＤＣ電力に変換する電源回路に有効であり、特に、電源投入時の制御電源の起動性を向上する。
【符号の説明】
【００８３】
２０  ダイオードブリッジ（ＤＢ）
２２  入力端子
２４  出力端子
２４ａ、４４ａ、３３２ａ、３４４ａ  正極側端子
２４ｂ、４４ｂ、３３２ｂ、３４４ｂ  負極側端子
３０、３０ｃ  リップル部（ＲＩＰ）
３０ａ、４６ａ  一端
３０ｂ、４６ｂ  他端
３２  第２のコンデンサ
３４  第２の抵抗器
４０、３４０  第１のダイオード（Ｄ１、Ｄ１ａ）
４０ａ、４２ａ、３４０ａ  アノード端子
４０ｂ、４２ｂ、３４０ｂ  カソード端子
４２、３４２  第２のダイオード（Ｄ２、Ｄ２ａ）
４４  第１のコンデンサ（Ｃ１）
４６  第１の抵抗器（Ｒ１）
５０  ＤＣ電圧出力端子（ＶＭ）
５２  制御電圧出力端子（Ｖｃｃ）
５４  グランド端子（ＧＮＤ）
６０、６１  抵抗器
１００  モータ駆動装置
１０２  ＡＣ電源
１０４  モータ
２００、３００  電源回路
２０２  モータ制御部
３３２、３４４  コンデンサ（Ｃ２ａ、Ｃ１ａ）
【図１】
2019054608.tif 000003
【図２】
2019054608.tif 000004
【図３】
2019054608.tif 000005
【図４】
2019054608.tif 000006
【図５】
2019054608.tif 000007
【図６】
2019054608.tif 000008
【図７】
2019054608.tif 000009
【図８】
2019054608.tif 000010
【図９】
2019054608.tif 000011
【図１０】
2019054608.tif 000012
【図１１】
2019054608.tif 000013
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
供給されたＡＣ電力が入力される、一対の入力端子と、
入力された前記ＡＣ電力をＤＣ電力に全波整流して出力する、一対の出力端子と、
を有するダイオードブリッジ（ＤＢ）と、
前記ダイオードブリッジが有する前記一対の出力端子間において、
前記一対の出力端子のうち正極側端子とその一端が接続される、リップル部（ＲＩＰ）と、
前記一対の出力端子のうち負極側端子とそのアノード端子が接続されるとともに、そのカソード端子が前記リップル部が有する他端と接続される、第１のダイオード（Ｄ１）と、
が取付けられ、
前記リップル部が有する他端と前記第１のダイオードが有する前記カソード端子との接点にそのアノード端子が接続される第２のダイオード（Ｄ２）と、
前記第２のダイオードが有するカソード端子とその正極側端子が接続されるとともに、その負極側端子が前記第１のダイオードが有する前記アノード端子と接続される第１のコンデンサ（Ｃ１）と、
前記第２のダイオードが有する前記カソード端子と前記第１のコンデンサが有する前記正極側端子との接点にその一端が接続されるとともに、その他端が前記ダイオードブリッジが有する前記一対の出力端子のうち前記正極側端子と接続される、第１の抵抗器（Ｒ１）と、を備え、
前記リップル部は、直列に接続された、第２のコンデンサと第２の抵抗器とを有し、
前記第２のコンデンサが前記リップル部の一端側に位置し、
前記第２の抵抗器が前記リップル部の他端側に位置するとともに、
前記一対の出力端子のうち前記正極側端子をＤＣ電圧出力端子（ＶＭ）、前記第１のコンデンサが有する前記正極側端子を制御電圧出力端子（Ｖｃｃ）、前記第１のコンデンサが有する前記負極側端子をグランド端子（ＧＮＤ）、とする電源回路。
【請求項２】
供給されたＡＣ電力が入力される、一対の入力端子と、
入力された前記ＡＣ電力をＤＣ電力に全波整流して出力する、一対の出力端子と、
を有するダイオードブリッジ（ＤＢ）と、
前記ダイオードブリッジが有する前記一対の出力端子間において、
前記一対の出力端子のうち正極側端子とその一端が接続される、リップル部（ＲＩＰ）と、
前記一対の出力端子のうち負極側端子とそのアノード端子が接続されるとともに、そのカソード端子が前記リップル部が有する他端と接続される、第１のダイオード（Ｄ１）と、
が取付けられ、
前記リップル部が有する他端と前記第１のダイオードが有する前記カソード端子との接点にそのアノード端子が接続される第２のダイオード（Ｄ２）と、
前記第２のダイオードが有するカソード端子とその正極側端子が接続されるとともに、その負極側端子が前記第１のダイオードが有する前記アノード端子と接続される第１のコンデンサ（Ｃ１）と、
前記第２のダイオードが有する前記カソード端子と前記第１のコンデンサが有する前記正極側端子との接点にその一端が接続されるとともに、その他端が前記ダイオードブリッジが有する前記一対の出力端子のうち前記正極側端子と接続される、第１の抵抗器（Ｒ１）と、を備え、
前記リップル部は、直列に接続された、第２のコンデンサと第２の抵抗器とを有し、
前記第２の抵抗器が前記リップル部の一端側に位置し、
前記第２のコンデンサが前記リップル部の他端側に位置するとともに、
前記一対の出力端子のうち前記正極側端子をＤＣ電圧出力端子（ＶＭ）、前記第１のコンデンサが有する前記正極側端子を制御電圧出力端子（Ｖｃｃ）、前記第１のコンデンサが有する前記負極側端子をグランド端子（ＧＮＤ）、とする電源回路。
【請求項３】
供給されたＡＣ電力を受けてモータを駆動するモータ駆動装置であって、
請求項１または２のいずれか一項に記載の電源回路と、
前記電源回路で変換された制御電圧を得て、前記モータを駆動するモータ制御部と、
を備える、モータ駆動装置。
【手続補正２】
【補正対象書類名】明細書
【補正対象項目名】００１１
【補正方法】変更
【補正の内容】
【００１１】
ダイオードブリッジが有する一対の出力端子間において、リップル部と、第１のダイオードと、が取付けられる。リップル部は、一対の出力端子のうち正極側端子とその一端が接続される。第１のダイオードは、一対の出力端子のうち負極側端子とそのアノード端子が接続される。第１のダイオードは、そのカソード端子がリップル部が有する他端と接続される。特に、リップル部は、直列に接続された、第２のコンデンサと第２の抵抗器とを有する。第２のコンデンサは、リップル部の一端側に位置する。第２の抵抗器は、リップル部の他端側に位置する。あるいは、第２の抵抗器は、リップル部の一端側に位置する。第２のコンデンサは、リップル部の他端側に位置する。